(57)【要約】  【課題】水分を多量に含んだ生ゴミを処理して可燃ゴミもしくは家庭菜園用の有機乾燥肥料として使用できる乾燥ゴミに変化しうる生ゴミ処理装置の提供。  【解決手段】生ゴミ投入口を有する粉砕装置、固液分離装置及び乾燥装置よりなる生ゴミ処理装置であって、調理時に発生した水分を含んだ生ゴミを生ゴミ投入口より粉砕装置中に投入し、生ゴミを細かく均質に粉砕し水分と共に固液分離装置に送入して固形分の生ゴミと水分とに分離し、湿った固形分の生ゴミを乾燥装置に送入して乾燥ゴミとするか、或いは分離後の湿った固形分の生ゴミに分解酵素を添加して処理をすることを特徴とする生ゴミ処理装置粉砕装置である。  【選択図】図２
2005066478.tif 000002
【特許請求の範囲】
【請求項１】
生ゴミ投入口を有する粉砕装置、固液分離装置及び乾燥装置よりなる生ゴミ処理装置であって、調理時に発生した水分を含んだ生ゴミを生ゴミ投入口より粉砕装置中に投入し、生ゴミを細かく均質に粉砕し水分と共に固液分離装置に送入して固形分の生ゴミと水分とに分離し、湿った固形分の生ゴミを乾燥装置に送入して乾燥ゴミとするか、或いは分離後の湿った固形分の生ゴミに分解酵素を添加して処理をすることを特徴とする生ゴミ処理装置。
【請求項２】
請求項１記載の生ゴミ処理装置の生ゴミ投入口を流し台の天板に設けたことを特徴とする流し台。
【請求項３】
請求項１記載の生ゴミ処理装置を流し台下方に組み込み、該生ゴミ処理装置の乾燥装置の前面に流し台下方の観音扉を設けたことを特徴とする流し台。
【発明の詳細な説明】
【技術分野】
【０００１】
本発明は、生ゴミ処理装置及び該生ゴミ処理装置を組み込んだ流し台に関する。
【技術背景】
【０００２】
従来、生ゴミ処理装置として、調理時に発生した各種の生ゴミは多量の水分を含んでいるので、これを乾燥室に収納して水分を減少させた後、処理室で処理されている。しかし、このような生ゴミの処理方法は水分除去に多くの時間を要するばかりなく、生ゴミから発生する臭気が漂い不快な環境となることがある。かかる不都合を解消するために、例えば、特許文献１では、作業台のワークトップにごみを投入する投入口を設けてこれの下面に投入ごみを案内する投入口本体を取り付けると共にこの投入口本体の下部に接続してごみを受け入れるごみ容器を設け、投入口本体とこれに接続されているごみ容器内の空気を吸引排気する手段が設けられていることが開示されており、水分及び臭気を取り除くことが示されている。また、特許文献２公報には厨芥を収納する乾燥室で乾燥中または乾燥後厨芥を粉砕攪拌して処理する厨芥処理装置が開示されている。しかし、この厨芥装置には乾燥粉砕したゴミの取りだし手段については具体的に記載されていない。
【０００３】
更に、流し台に生ゴミ処理装置を組み込み、調理時に生じた生ゴミを直ちに処理することが行われている。例えば、特許文献３には、流し台に収納された燃焼炉と、この燃焼炉の上部に設けた厨芥投入用の蓋と流し台の後部壁を貫通して屋外まで伸びた排気管と、燃焼炉を流し台前面に引き出し可能にする案内部と燃焼炉からの排気を前記排気管に流通接続する接続器を備えたものであり、この接続器を前記燃焼炉に伴って可動とし、燃焼炉の収納時に前記排気管と接続する可動接続部により、燃焼炉を前後方向に移動自在とし、流し台上面に開閉蓋を設けることなく厨芥の投入ができるようにした所謂流し台組み込み型の生ゴミ処理装置が記載されている。しかしながら、この流し台組み込み型の生ゴミ処理装置は、燃焼時に発生する排ガスを屋外に排出するために、浄化器や希釈ケースを設置するとともに壁に貫通孔を開けて、排気管の一端を屋外に突出させなければならず、また、処理後の灰を収納しておくための収納部が設けられていない等の問題点がある。
【特許文献１】特開平７−１８７３０５号公報
【特許文献２】特開平６−２０６０６１号公報
【特許文献３】特開平１−２０９０１３号公報
【発明の開示】
【発明が解決しようとする課題】
【０００４】
そこで、本発明者は従来の水分を多量に含んだ生ゴミを処理して可燃ゴミもしくは家庭菜園用の有機乾燥肥料として使用できる乾燥ゴミに変化しうる生ゴミ処理装置について、種々検討した結果、本発明を完成したもので、本発明の目的は可燃ゴミもしくは家庭菜園用の有機乾燥肥料として使用できる生ゴミ処理装置を提供することであり、更に、該生ゴミ処理装置を組み込んだ流し台を提供することである。
【課題を解決するための手段】
【０００５】
本願第１の発明の要旨は、生ゴミ投入口を有する粉砕装置、固液分離装置及び乾燥装置よりなる生ゴミ処理装置であって、調理時に発生した水分を含んだ生ゴミを生ゴミ投入口より粉砕装置中に投入し、生ゴミを細かく均質に粉砕し水分と共に固液分離装置に送入して固形分の生ゴミと水分とに分離し、湿った固形分の生ゴミを乾燥装置に送入して乾燥ゴミとすることを特徴とする生ゴミ処理装置であり、第２の発明は、第１の発明の生ゴミ処理装置の生ゴミ投入口を流し台の天板に設けたことを特徴とする流し台であり、第３の発明は、請求項１記載の生ゴミ処理装置を流し台下方に組み込み、該生ゴミ処理装置の乾燥装置の前面に流し台下方の観音扉を設けたことを特徴とする流し台である。
【０００６】
即ち、本発明においては水分を多量に含有した生ゴミを粉砕して固体分の生ゴミを均質な粉砕体とし、これを水分と共に濾過装置である固液分離装置に搬送し、水分と固体分の生ゴミ粉砕体とに分け、生ゴミ粉砕体を乾燥機に送入して乾燥して粉砕体の乾燥ゴミとするので周囲に異臭を発することなく処理でき、且つ、従来の生ゴミ処理装置に比して設備が容易且つ極めてコンパクトであり、該生ゴミ処理装置は流し台に組み込み可能である。
【発明の効果】
【０００７】
本発明の生ゴミ処理装置は粉砕機において粉砕して固液分散体とし、これを固液分離装置によって分離するので、周囲に異臭を発することなく生ゴミ処理装置をコンパクトに出来、更に取り扱いも極めて容易である。得られた乾燥ゴミは可燃ゴミ若しくは家庭菜園用の有機肥料として活用することができる。或いは生ゴミ処理装置より排出された湿った状態にある粉砕体のゴミに分解酵素を添加しても良い。
更に、生ゴミ投入口を有する粉砕装置、固液分離装置及び乾燥装置を設けたゴミ収納器よりなる生ゴミ処理装置を流し台の下方に組み込み、その前方に観音開きの開閉扉を設けることによって外観は通常の流し台と異ならず美麗な生ゴミ処理装置を有する流し台を提供することができる。
【発明を実施するための形態】
【０００８】
以下、本発明における生ゴミ処理装置の概略を図面に基づいて説明する。図１は本発明に係る生ゴミ処置装置である。生ゴミ処理装置１は、粉砕装置、固液分離装置及び乾燥装置よりなっている。生ゴミ処理装置１は、その内部に攪拌、粉砕機構を有する粉砕装置３で一方に生ゴミ投入口２を、他方に排出管４を設けてある。粉砕装置３としては従来より使用されているものであれば良く、例えば、カッターを回転して被処理物を切断、粉砕するカッター式粉砕機、回転ハンマを持つハンマ式粉砕機、或いは被処理物に回転を与え遠心力で被処理物を壁に衝突させて粉砕する粉砕機等何れの粉砕機でも良い。そして、このような粉砕処理において、例えば上端に生ゴミ投入口２を、下端に排出管を設け、上方より大量の水分を含んだ生ゴミが投入され、粉砕機で細かく均質に粉砕され水分と一体となって排出管より排出される。
排出された細かく粉砕された生ゴミと水分とは排出管４を経由して固液分離装置５に導入する。固液分離装置は一種の濾過装置であって固形分の生ゴミと液体の水分とに分離するものであれば何れでもよいが、例えば、特開２０００−３１７６９３号公報に記載されている装置はコンパクトであるので、本発明の生ゴミ処理装置に使用することは好ましい。この装置は複数の平板状の円形リング体を所定の間隔で積層することによって円筒体に形成されたストレーナとこのストレーナを収容する収容部とを有し、収容部がストレーナによって内部領域と外部領域とに分離され、外部領域にある導入口より、生ゴミと水分とを導入し、水分は円形リング体間の間隙を通過して内部領域にある排出口より排出する。一方、生ゴミの多くはストレーナの外周面に溜まり、外周面に形成されているリブによってかき集められ、ストレーナの回転によってストレーナの外周面とストレーナを収納している筒状収納部の内周面との間隙が次第に狭くなっているので、これにより生ゴミに中に含まれている水分が絞り出される。その後固形分である生ゴミはリブ部に掻き取られて取り出し口より排出される。
【０００９】
固液分離装置の出口より排出された生ゴミは未だ湿った状態にあるので乾燥装置９に導入される。乾燥装置９としては特に特定の乾燥装置に限定されるのもではないが、乾燥装置と乾燥ゴミ収納器１２とを兼ねたものが好ましい。即ち、乾燥ゴミ収納器１２の底面にパネルヒータを、その中央部に回転棒11をそれぞれ設け、上部に排気ファンを有するダクト管６を具備するものが好ましい。このような乾燥装置兼乾燥ゴミ収納器１２に搬送された生ゴミは中央部の回転棒11によって回転しながら加熱、分解され、水分及び臭気はダクト管６から管７を経て排出管８より外部に排出される。乾燥装置内で乾燥された生ゴミは臭気はなく、乾燥装置はそのまま乾燥ゴミ収納器として機能する。そして、この中の乾燥ゴミは可燃性ゴミとして取り扱うことが出来、更に有機肥料として再利用することもできる。また、乾燥装置内に導入された生ゴミに分解酵素を添加して処理することもできる。
【００１０】
本発明に係る上記生ゴミ処理装置で処理された乾燥ゴミは生ゴミの約１／２０の容積に減量できると共に、生ゴミ特有は臭気を発することなく、通常の可燃ゴミとして取り扱うことが出来るので、生ゴミ処理装置は何れの場所にも設置することが出来、また、設置に際しては粉砕装置、固液分離装置及び乾燥装置をどのように設置するかは任意であるが、粉砕装置の生ゴミ投入口を流し台の天板に設け、粉砕装置本体を流し台の下に置き、その他の部分である固液分離装置及び乾燥装置を流し台の側方に設けてもよいが、本発明に係る生ゴミ処理装置は極めてコンパクトに設計できるので、生ゴミ処理装置全体を流し台の下方に設置することが好ましく、所謂生ゴミ処理装置組み込み流し台を構成することができる。
【００１１】
生ゴミ処理装置を流し台に組み込んだ一例として図２を示す。図２において、生ゴミ処理装置のゴミ投入口２を流し台の排水口と接続し、多量の水分を含有する生ゴミを粉砕機３に送入し、細かく均質に粉砕された生ゴミと水分とを排出管４によって処理装置ボックス１０に送る。処理装置ボックス１０には固液分離装置と乾燥装置とが組み込まれており、これを流し台の下に収納し、その前面を流し台の観音扉１１で覆うようにする。排出管４によって処理装置ボックス１０に送り込まれた固液分散体は処理装置ボックス１０内の固液分離装置及び乾燥機によって乾燥ゴミとして乾燥ゴミ収納器１２の中に集められる。乾燥ゴミを取り出すには、流し台の下の観音扉１１（図示せず）を開き乾燥ゴミ収納器１２の引き出しを手前に引くことによって容易に取り出すことができる。
乾燥ゴミは最初の投入した生ゴミの約１／２０に減量され、乾燥ゴミは可燃ゴミとして捨てることができるが、更に有機肥料として再利用することもできる。
【図面の簡単な説明】
【００１２】
【図１】本発明に係る生ゴミ処理装置の概略図
【図２】図１の生ゴミ処理装置を収納した流し台の概略図
【符号の説明】
【００１３】
１  生ゴミ処理装置    ２  生ゴミ投入口    ３  粉砕装置  
４  粉砕体の排出管    ５  固液分離装置    ６  ダクト管
７  管        ８  水分及び臭気の排出管    ９  乾燥装置
１０  処理装置ボックス  １１  回転棒      １２  乾燥ゴミ収納器
【図１】
2005066478.tif 000003
【図２】
2005066478.tif 000004